(57)【要約】      （修正有）【課題】複数の発光体を一体成型した透明チューブを、タスキに組込むことにより、発光体のみならず、発光体と発光体の間のチューブ自体も発光させることを可能とした夜間の安全性を高める安全タスキを提供する。【解決手段】安全タスキ全体は、タスキ本体２、発光体と電気回路を一括収納した透明チューブ３、発光体４、ボタン電池用ＢＯＸ及び点滅制御部とオン・オフスイッチ部５、長さ寸法調整用部品６、警報ブザー取り付け用部品７、両端接続用バックル８から構成される。透明チューブ３は、発光体４を内蔵したものであり、タスキ２に組み込まれている。ここでいう透明チューブとは光を透過するチューブを指し、半透明や色付きの光の透過性を持つチューブも含む。発光体４を点灯・点滅させると、透明チューブ３において、発光体と発光体の間のチューブ部分が発光体４から発せられる光によって点灯・点滅する。【選択図】図３
0003177999.tif 000002
【実用新案登録請求の範囲】
【請求項１】
複数の発光体と一体成形した透明または半透明チューブをタスキに組み込み、前記発光体を点灯ないし点滅させることで、前記チューブも自動的に点灯・点滅することを特徴とした発光タスキ。
【請求項２】
請求項１において、発光体がチューブに一体成形されていることを特徴とする発光タスキ。
【請求項３】
請求項１において、警報ブザー等を取り付け可能とすることを特徴とする発光タスキ。
【考案の詳細な説明】
【技術分野】
【０００１】
本考案は肩からかける交通安全タスキに、夜間使用時の安全性を高め、防犯性を追加した安全タスキに関するものである。
【背景技術】
【０００２】
従来、学童が自転車登下校の際、交通安全のため半ば使用を義務付けられているタスキでは、光を反射するナイロン製反射板、もしくはLEDまたはELファイバーが取り付けられているだけだった。
【先行技術文献】
【特許文献】
【０００３】
【特許文献１】特開2001-159016
【非特許文献】
【０００４】
【非特許文献１】実登3054458
【非特許文献２】実開平7-1483
【考案の概要】
【０００５】
複数の発光体と一体成形した透明チューブをタスキに組み込むことにより、発光体の点とチューブの線の両方を光らせることによる安全性の向上。
さらにこのタスキに、警報ブザーを取り付け可能とすることによる防犯性の確保。
【考案が解決しようとする課題】
【０００６】
学童が夜間に自転車にて登下校時において、学童の安全を確保するために半ば義務付けられている安全タスキをかける場合、前記の安全タスキには、実登3054458のように光の反射板をもつタスキや、実開平7-1483のように点灯・点滅するLEDをもつタスキ、特開2001-159016のようにELファイバーを発光させるものなどによって、自動車運転中の運転手からの視認を促すものがある。
しかし実登3054458では自動車や周辺の街の明かりが安全タスキの反射板によって反射し、運転手の目に入る場合にのみしか存在が確認されないため、光がない場合、もしくは反射光が不十分な場合には、安全性タスキをかけている学童の安全性が不十分であった。さらに暗闇で危険が迫った場合での防犯性も不十分であった。
実開平7-1483のように点灯・点滅するLEDをもつタスキにおいても、LEDの発光体は通常小さなものであり、運転手からその発光する点が近くにあるのか遠くにあるのか不明確な場合が多いため、安全性タスキをかけている学童の安全性が不十分であった。特に前記タスキに備え付けられた点の発光体が腕や髪の毛等によって隠れている場合、前記安全タスキはもはや安全性を保持しない。さらに特開2001-159016のようにELファイバーを発光させたものについては、特殊なインバータ電源が必要でありコストが高くなり、普及でき難いものであった。
【０００７】
本考案はこのような従来の構成が有していた問題を解決しようとするものであり、学童の登下校時や、夜間に屋外道路においてジョギング・散歩などをする人の安全と防犯性をより高めるものである。
【課題を解決するための手段】
【０００８】
複数の発光体を一体成型した透明チューブを、タスキに組込むことにより、発光体のみならず、発光体と発光体の間のチューブ自体も発光させることが可能である。
【０００９】
さらにこのタスキに、リング状部品を組み込むことにより、警報ブザーの取り付けが可能となる。
【考案の効果】
【００１０】
夜間及び雨天時の自転車通学において、学童が交通安全のため肩からかけるタスキは反射板のみ、またはLEDの点灯・点滅、ELファイバー発光などであった。これに対し複数の発光体と一体成形した透明チューブをタスキに組み込み、発光体を点灯・点滅させることにより、発光体と発光体の間の透明チューブも、発光体によって点灯・点滅される。そのため発光体の点と透明チューブの線の両方が光るため、自動車運転中の運転手から視認しやすくなり、安全効果がより高くなる。
【００１１】
またこのタスキにリング状部品を組込むことにより、警報ブザーの取り付けけが可能となり、緊急時に警報音で周辺に通報可能なため、防犯効果がより高くなる。
【００１２】
さらにこの発光体と一体成形した透明チューブを採用したことによる派生効果として、電気回路部への機械的保護と水分侵入防止効果がより高くなり、電気回路の断線防止と防水性がより向上する。
【考案を実施するための形態】
【００１３】
以下、本考案の実施するための形態を図１〜図４に基づいて説明する。
【図面の簡単な説明】
【００１４】
【図１】本タスキを人が着用時の正面図
【図２】本タスキを人が着用時の背面図
【図３】発光体内蔵タスキの平面図
【図４】A-A断面拡大図
【実施例１】
【００１５】
以下添付図面に従って実施例を説明する。図１・図２においては１の人が２のタスキを肩からかけて着用した状態を示しており、図１は正面図、図２は背面図である。図３はタスキ２の構造詳細である。
【００１６】
図１，２，３の構成を示す。図１、２には本発明におけるタスキを着用する人１を示し、図１，２，３に示される安全タスキ全体は、タスキ本体２、発光体と電気回路を一括収納した透明チューブ３、発光体４、ボタン電池用BOX及び点滅制御部とオン・オフスイッチ部５、長さ寸法調整用部品６、警報ブザー取り付け用部品７、両端接続用バックル８から構成される。
【００１７】
透明チューブ３は、発光体４を内蔵したものであり、タスキ２に組み込まれている。図１・図２では発光体４が発光している状態を表現している。
ここでいう透明チューブとは光を透過するチューブを指し、半透明や色付きの光の透過性を持つチューブも含む。
【００１８】
発光体４を点灯・点滅させると、透明チューブ３において、発光体と発光体の間のチューブ部分が発光体４から発せられる光によって点灯・点滅する。
【００１９】
ボタン電池用BOX及び点滅制御部とオン・オフスイッチ部５は発光体を発光させるための電池を収納し、発光体を点灯・点滅させるための制御回路と電気回路をオン・オフするスイッチが組み込まれている。
【００２０】
長さ寸法調整用部品６は背の高い高校男子が着用時にはタスキ長さを最大長さに伸ばし、背の低い中学低学年の女子生徒ではタスキ長さを最小長さになるように、寸法調整をするための部品である。
【００２１】
警報ブザー取り付け用部品７は、夜間登下校時に危険が迫った場合に警報音を発生させる警報ブザーを取り付けるための部品である。
【００２２】
両端接続用バックル８は一本の帯状の状態であるタスキを、ループ状にするための両端接続用部品である。これらの長さ寸法調整用部品６・リング状部品７・８はタスキ２に組み込まれている。
【００２３】
図４に、図３のタスキ本体２において、A-A断面を示す。図４において、タスキの繊維部分２ー１、透明チューブ３ー１、透明チューブに収納された発光体３ー２、透明チューブに収納された電気回路部３−３から構成される。
【００２４】
タスキの繊維部分２ー１には、透明チューブ３ー１が繊維部に外れないようにはめ込まれている。
【００２５】
透明チューブ３−１内には、発光体３ー２が収納されている。
【００２６】
透明チューブ３ー１内には、発光体３−２を発光させるのに必要な電気回路３−３も収納されている。
【実施例２】
【００２７】
一つ目の実施例において、安全タスキに装着させる、発光体と電気回路を収納した透明チューブを説明したが、ランドセル等の鞄やベルト、ジャケット、靴、自転車等屋外にいる使用者の装備品に前記発光体と電気回路を収納した透明チューブを装着させてもよい。
【００２８】
これらによって、本発明をもって夜間屋外道路上にいる使用者の安全を確保することができる。
【００２９】
特に自転車の場合には、一般的に知られる自転車の車輪が回転することによって電力を発生することができる発電装置から電力を導き、発光体と電気回路を収納した透明チューブを発光させることも可能である。靴の場合も同様に、使用者の運動によって電力を発生することができる発電装置から電力を導き、発光体と電気回路を収納した透明チューブを発光させることも可能である。これらの場合、ボタン電池は不要となる効果も生まれる。
【００３０】
前記鞄やベルト、ジャケット、自転車には、警報ブザー取り付け用部品を具備し、警報ブザーをつけることで、危険時において、さらなる安全を確保しても良い。
【図１】
0003177999.tif 000003
【図２】
0003177999.tif 000004
【図３】
0003177999.tif 000005
【図４】
0003177999.tif 000006
【手続補正書】
【提出日】平成24年6月27日(2012.6.27)
【手続補正１】
【補正対象書類名】実用新案登録請求の範囲
【補正対象項目名】請求項３
【補正方法】変更
【補正の内容】
【請求項３】
請求項１において、警報ブザーを取り付け可能とすることを特徴とする発光タスキ。